(57)【要約】【課題】軒樋と縦樋を連結する樋連結部材であって、軒樋の伸縮を吸収できる樋連結部材及びそれを用いた樋配管システムを提供すること。【解決手段】軒樋６と縦樋８とを連結する樋連結部材１０である。この樋連結部材１０の一側面に設けられた軒樋６と接続するための軒樋接続部１６と、この軒樋接続部１６の反対側面に設けられた止まり１７と、軒樋接続部１６と止まり１７との間であって、軒樋接続部１６と止まり１７とを結ぶ方向に直交する側面に設けられた軒樋６に流入した雨水を排水するための排水接続部１８とが一体に形成されている。【選択図】図１
2004353409.tif 000002
【特許請求の範囲】
【請求項１】
軒樋と縦樋とを連結する樋連結部材であって、該樋連結部材の一側面に設けられた軒樋と接続するための軒樋接続部と、該軒樋接続部の反対側面に設けられた止まりと、前記軒樋接続部と前記止まりとの間であって、前記軒樋接続部と前記止まりとを結ぶ方向に直交する側面に設けられた軒樋に流入した雨水を排水するための排水接続部とが一体に形成された樋連結部材。
【請求項２】
前記排水接続部の配設方向が互いに反対方向である請求項１に記載の樋連結部材の一対を用い、
前記止まりの外表面を離間して互いに対面して配設することを特徴とする樋配管システム。
【請求項３】
前記一対の樋連結部材に跨って該樋連結部材を覆うカバーを、前記樋連結部材が軒樋の伸縮方向に進退可能に固定することを特徴とする請求項１に記載の樋配管システム。
【発明の詳細な説明】
【０００１】
【発明の属する技術分野】
この発明は、軒樋の伸縮を吸収できる軒樋と縦樋とを連結する樋連結部材及びそれを用いた樋配管システムに関する。
【０００２】
【従来の技術】
従来より、軒樋と縦樋とを接続する樋連結部材として集水器本体の下部外方に呼び樋（又は縦樋）と接続するために筒状の接続部を突出形成させた集水器が知られている（例えば、特許文献１参照）。
【０００３】
この公報に記載の集水器１では、図８に示すように、集水器本体２の両側方に樋状の軒樋接続部３，４を形成させ、軒樋と直交する一側面に内底面をほぼ同じとする筒状接続部５が形成されている。これにより、軒樋接続部３，４にそれぞれ軒樋を接続させ、筒状接続部５に呼び樋などを介して縦樋を接続することにより樋配管システムが形成される。
【０００４】
【特許文献１】
実開平３−５４５２７号公報
【０００５】
【発明が解決しようとする課題】
しかしながら、軒樋は直射日光に照射されたりすることにより、温度変化に伴い伸縮するので、このような樋配管システムでは、集水器１と軒樋との接続部や集水器近傍の軒樋には、この伸縮を吸収するための伸縮吸収部を別途に形成する必要があった。
【０００６】
そこで、この発明は、軒樋と縦樋を連結する樋連結部材であって、軒樋の伸縮を吸収できる樋連結部材及びそれを用いた樋配管システムを提供することを目的とする。
【０００７】
【課題を解決するための手段】
前記課題を解決するため、本発明者は鋭意検討を進めた結果、軒樋と縦樋とを連結する樋連結部材において、軒樋の末端を閉鎖する止まりを設ければ、軒樋は、この樋連結部材付近において長手方向に向けて連続的に接続されることがないので、軒樋の伸縮がこの止まりにより吸収でき、これにより軒樋の伸縮を吸収できる樋配管システムが提供できることを認め本発明に到達した。
【０００８】
すなわち本発明の樋連結部材は、軒樋と縦樋とを連結する樋連結部材であって、
該樋連結部材の一側面に設けられた軒樋と接続するための軒樋接続部と、該軒樋接続部の反対側面に設けられた止まりと、前記軒樋接続部と前記止まりとの間であって、前記軒樋接続部と前記止まりとを結ぶ方向に直交する側面に設けられた軒樋に流入した雨水を排水するための排水接続部と、が一体に形成された樋連結部材である。
【０００９】
このような樋連結部材によれば、止まりにより軒樋が遮断されるので、軒樋が熱膨張などにより長手方向に伸縮しても、樋連結部材付近の軒樋の伸縮はこの止まりにより吸収できる。
【００１０】
また、本発明の樋配管システムは、排水接続部の配設方向が互いに反対方向である前記の樋連結部材の一対を用い、止まりの外表面を離間して互いに対面して配設することを特徴とする樋配管システムである。
【００１１】
また、このような樋配管システムによれば、一対の樋連結部材を介して軒先の左右方向に軒樋を配設することができる。この場合、軒樋が熱膨張などにより伸縮してその伸縮に応じて止まりは進退するが、これらの止まり面が離間して配設されていれば、止まり同士が干渉することなく、この軒樋の長手方向の伸縮を吸収させることができる。
【００１２】
この樋配管システムにおいては、一対の樋連結部材に跨って樋連結部材を覆うカバーを、樋の伸縮方向に進退可能に固定することにより、軒樋が伸縮しても、脱落することなくカバーを配設することができる。
【００１３】
【発明の実施の形態】
以下、本発明の具体的な実施の形態について図面を参照しつつ説明する。
【００１４】
図１は、本発明の実施の形態に係る樋連結部材を説明する図である。この図において、この発明の樋連結部材１０は、前壁１１、底壁１２及び後壁１３とから形成される溝状の雨水受部１４を有する連結部本体１５を備えている。この雨水受け部１４は軒樋６の雨水受け部と略同一形状であり、その連結部本体１５の一側面には軒樋６との接続部である軒樋接続部１６が形成され、この軒樋接続部１６の反対側面には軒樋６の末端を封鎖するふたとしての止まり１７が形成されている。また、後壁１３には底壁１２と内底面を略同一として開口して形成された呼び樋７への連結部である筒状の落とし口（排水接続部）１８が形成されている。
【００１５】
ここで、この図１において、この軒樋接続部１６は左側に形成され、止まり１７は右側に形成されているが、これらの部位部材は、止まり１７の面を基準として左右対称に形成されたものが用意される。すなわち、軒樋接続部１６が左側（又は右側）に形成され、止まり１７が左側（又は右側）に形成された左右対称の二つの樋連結部材１０，１０´が用意される。これらの対称の樋連結部材１０，１０´は、軒樋６と縦樋８の配設位置により適宜選択されて使用される。
【００１６】
この軒樋接続部１６は、軒樋６の一方の端縁６ｃと雨水漏れが生じないように確実に接続できる構造であれば、その形状はどのような形状でもよく、例えば、この実施の形態では、図２に示すように、軒樋６の前側耳部６ａ、後側耳部６ｂ及び端縁６ｃと係合する前側係合凹部１１ｂ、後側係合凹部１３ｂなどを備えている。また、この図では、符号１１ｃは前側耳部６ａを上方から係止する係止片であり、符号１３ｃは後側耳部６ｂを上方から係止する係止片である。これらの係止片１１ｃ及び係止片１３ｃはなくてもよい。
【００１７】
これにより、前側係合凹部１１ｂに軒樋６の前壁及び前側耳部６ａを、後側係合凹部１３ｂに軒樋６の後壁及び後側耳部６ｂを嵌入させて雨水漏れが生じないように必要に応じて適宜のシール材を用いて固定する。
【００１８】
また、呼び樋７を落とし口１８に嵌合させて、同様に雨水漏れが生じないように必要に応じて適宜のシール材を用いて固定する。
【００１９】
この呼び樋７にエルボ部材８ａなどを介して縦樋８と固定させることにより、図３に示すような本発明の樋配管システム１００が形成される。なお、この図３では、図１に示す樋連結部材１０と左右対称の樋連結部材１０´が採用されている。
【００２０】
【変形例１】
このような樋配管システム１００は、図４に示すように、例えば、符号９で示す鼻隠し等に固定された軒樋６を建物Ｔ内に配管される縦樋８に接続して屋内配管システム２００として応用することができる。ここで、この図４において、符号９ａは建物Ｔの外壁であり、縦樋８は外壁９ａの内側の建物Ｔ内の収納されて屋内配管システム２００が形成されている。
【００２１】
このような屋内配管システム２００によれば、軒樋６の雨水を呼び樋７を介して鼻隠し９より建物内の軒天内部を通ってエルボ８ａを介して縦樋８に流すことにより縦樋８が外部から視認できないので、建物Ｔの外観を良好とすることができる。
【００２２】
また、このような屋内配管システム２００によれば、軒樋６の伸縮を吸収できる点については、発明の実施の形態と同様な作用効果を奏する。
【００２３】
【変形例２】
図５は、本発明の実施の形態の変形例に係る樋配管システムを説明する図である。この樋配管システム３００は、左右一対の樋連結部材１０，１０´をそれぞれの樋連結部材１０，１０´が止まり１７，１７の各面を面対称にして配設されている。
【００２４】
また、この変形例では、各樋連結部材１０，１０´の軒樋接続部１６，１６（不図示）にはそれぞれ軒樋６，６が接続され、落とし口１８，１８（不図示）には呼び樋７，７が接続されている。これらの呼び樋７，７はエルボ８ａ，８ａを介してそれぞれ縦樋８，８に接続されている。
【００２５】
ここで、この変形例では、各止まり１７、１７の面は少し離間して配置される。この距離（以下、離間距離ｄという。）は、軒樋６，６の伸縮を吸収するためのものであり、伸縮の大きい軒樋６，６では離間距離ｄは大きく取られ、伸縮の小さい軒樋６，６ではこの離間距離ｄは小さくてもよい。
【００２６】
また、この変形例では、図６に示すような、これらの樋連結部材１０，１０´の離間部等をカバーするカバー部材２０が挿嵌されている。
【００２７】
このカバー部材２０は弾性を有する材料により形成され、樋連結部材１０の前壁１１を覆う前壁カバー部２１と底壁１２を覆う底壁カバー部２２と後壁１３に係止する後壁係止部２３とが一体に形成され、前壁部２１の上端には内側（雨水受部１４）に向けて曲折した係止片２１ａ，２１ａが設けられ、後壁係止部２３の上端には内側（雨水受部１４）に向けて曲折した係止片２３ａ，２３ａが設けられている。
【００２８】
このようなカバー部材２０は、例えば、弾性により係止片２１ａ及び２３ａ間の距離を離間させて樋連結部材１０，１０´に跨って下から図５に示すように装着される。これにより、樋６の前側耳部６ａの上縁に係止片２１ａが当接し、後ろ側耳部６ｂの上縁には係止片２３ａが当接することにより、各樋連結部材１０，１０´及び各軒樋６，６の周囲をカバー部材２０が覆うように挿嵌されてカバー部材２０が固定される。
【００２９】
このような樋配管システム３００によれば、各縦樋８，８の左右位置に配置される軒樋６，６に受けた雨水は、樋連結部材１０，１０´、呼び樋７，７及びエルボ８ａ，８ａを介して縦樋８，８に集散されて排水できる。
【００３０】
ここで、各縦樋８，８はそのまま排水させてもよいが、合わせマスで合流させて排水してもよい。また、エルボ８ａに換えて二股形状のエルボを用いれば、各呼び樋７，７を受けて一つの縦樋に接続させて排水させることもできる。
【００３１】
また、このような樋配管システム３００によれば、樋連結部材１０、１０´間、樋連結部材１０、１０´及び樋連結部材１０，１０´と各軒樋６，６の接合部にわたって、前側が前壁カバー部２１により覆われ、底面が底壁カバー部２２により覆われて外観が美麗となる。
【００３２】
ここで、各縦樋８，８を、図４に示すように、建物Ｔの外壁９ａ内に配管すれば、屋内配管システムとすることもできる。
【００３３】
また、このような樋配管システム３００によっても、軒樋６，６は熱などにより伸縮するが、カバー部材２０を接着剤などにより固定しなければ、軒樋６，６の伸縮は樋連結部材１０、１０´間の離間距離ｄの変化として吸収できるし、また、この離間距離ｄの変化はカバー部材２０により遮られて視認することができなく、常に一定の外観を維持することができる。
【００３４】
なお、以上の樋連結部材１０又は１０，１０´付近の上から更に、図７に示すような上カバー２４を設けてもよい。
【００３５】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３６】
【発明の効果】
以上説明してきたように、本発明によれば、軒樋と縦樋を連結する樋連結部材であって、軒樋の伸縮を吸収できる樋連結部材及びそれを用いた樋配管システムを提供することができる、という実用上有益な効果を発揮する。
【図面の簡単な説明】
【図１】本発明の実施の形態に係る樋連結部材を説明する斜視図である。
【図２】本発明の実施の形態に係る樋連結部材の組立状況を説明する斜視図である。
【図３】本発明の実施の形態に係る樋配管システムを説明する斜視図である。
【図４】本発明の実施の形態に係る屋内配管システムを説明する断面図である。
【図５】本発明の実施の形態に係る樋配管システムを説明する斜視図である。
【図６】本発明の実施の形態に係る樋配管システムに用いるカバー部材を説明する斜視図である。
【図７】本発明の実施の形態に係る樋配管システムに用いる上カバー部材を説明する斜視図である。
【図８】従来例に係る樋連結部材を説明する斜視図である。
【符号の説明】
１００，３００：樋配管システム
２００：屋内配管システム
１：集水器
２：集水器本体
３：軒樋接続部
４：軒樋接続部
５：筒状接続部
６：軒樋
６ａ：前側耳部
６ｂ：後側耳部
７：呼び樋
８：縦樋
８ａ：エルボ
９：鼻かくし
９ａ：建物外壁
１０：樋連結部材
１１：前壁
１２：底壁
１３：後壁
１４：雨水受部
１５：連結部本体
１６：軒樋接続部
１７：止まり
１８：落とし口（排水接続部）
２０：カバー部材
２１：前壁カバー部
２１ａ：係止片
２２：底壁カバー部
２３：後壁係止部
２３ａ：係止片
２４：上カバー部材
【図１】
2004353409.tif 000003
【図２】
2004353409.tif 000004
【図３】
2004353409.tif 000005
【図４】
2004353409.tif 000006
【図５】
2004353409.tif 000007
【図６】
2004353409.tif 000008
【図７】
2004353409.tif 000009
【図８】
2004353409.tif 000010